(57)【要約】【課題】水晶濾波器の通過特性測定結果をコンピュータで取り込みながら、水晶濾波器の入出力インピーダンス整合を自動調整する。【解決手段】トランス３に直列に接続した可変容量ダイオード１２の容量値を可変容量ダイオード制御端子１０に印加した制御電圧でコンピュータが調整することによりトランス３および可変容量ダイオード１２による総合インダクタンス値を調整する。これにより、トランス３、可変容量ダイオード１２、コンデンサ４による並列共振回路の共振周波数を入力信号周波数に調整することが可能となる。トランス７、コンデンサ６、可変容量ダイオード１４を用いた共振回路による水晶濾波器５の出力インピーダンス整合においても同様である。これにより、水晶濾波器の入出力インピーダンス整合回路をコンピュータが制御し、自動で調整することが可能となる。【選択図】　　　図１
2004048326.tif 000002
【特許請求の範囲】
【請求項１】
トランスを用いたインピーダンス変換回路において、トランスに能動素子を接続し、電気信号によって該能動素子の容量値を変化させることにより、トランスのインダクタンス値を調整する手段を有することを特徴とする自動調整機能付きインピーダンス変換回路。
【請求項２】
請求項１記載のインピーダンス変換回路において、能動素子として可変容量ダイオードを接続することを特徴とする自動調整機能付きインピーダンス変換回路。
【請求項３】
請求項２記載のインピーダンス変換回路において、可変容量ダイオードにトランジスタを接続することを特徴とする自動調整機能付きインピーダンス変換回路。
【請求項４】
濾波器の入出力インピーダンス整合に使用し、濾波器の通過特性を自動調整する手段を有することを特徴とする請求項１、２、および３項記載の自動調整機能付きインピーダンス変換回路。
【発明の詳細な説明】
【０００１】
【発明の属する技術分野】
本発明は、濾波器の入出力インピーダンス調整方式の改良に関するものである。
【０００２】
【従来の技術】
従来の技術として、例えばトランスを用いた水晶濾波器の入出力インピーダンス整合が挙げられる。図２に従来の技術を用いた水晶濾波器の入出力インピーダンス整合回路を示す。１は信号入力端子、２はコンデンサ、３はトランス、４はコンデンサ、５は水晶濾波器、６はコンデンサ、７はトランス、８はコンデンサ、９は信号出力端子である。信号入力端子１から入力された信号はトランス３のタップに入力される。ここで、信号入力端子１からみた入力インピーダンスは、トランス３の巻数比によって、水晶濾波器５の入力インピーダンスを変換し、信号入力端子１に接続される回路の出力インピーダンスに整合されている。ここで、通過させたい信号がトランス３を介してグランドで減衰しないように、トランス３のインダクタンス値、およびコンデンサ４の容量値によって並列共振回路を構成し、通過させる信号の周波数においてインピーダンスを最大とし、対グランドに対する信号の減衰分を解消している。コンデンサ６、およびトランス７を用いた並列共振回路の原理も同様である。
【０００３】
ここで、この回路を量産した場合、トランス３、７のインダクタンス値、およびコンデンサ４、６の容量値のばらつきによって並列共振回路の共振周波数に個体差が生じ、物によってはインピーダンスの整合が取れなくなり、水晶濾波器の通過特性が仕様を満足しなくなるものが発生する。従って、トランス３、７を固定部品とするのは困難であり、トリマ付きの調整部品とし、生産工程において水晶濾波器の特性を観測しながらトリマ調整を行い、水晶濾波器の入出力インピーダンス整合を行う必要がある。
【０００４】
【発明が解決しようとする課題】
前記従来技術によると、生産工程における人的リソースの介入が必要となり、その結果、調整工数のアップにつながってしまうという問題があった。
【０００５】
本発明はこの欠点を解決するため、電気信号によってトランスのインダクタンス値を調整する手段を設け、コンピュータによって水晶濾波器の通過特性を測定しながら入出力インピーダンスを自動で最適化する様にしたものである。
【０００６】
【課題を解決するための手段】
本発明は、上記の目的を達成するため、トランスに直列に可変容量ダイオード、およびトランジスタを接続し、可変容量ダイオードの容量値をコンピュータによって制御することにより、トランス、および可変容量ダイオードにより構成される回路の総合インダクタンス値を調整するようにしたものであり、トランジスタ接続による微小な負性抵抗分により可変容量ダイオードの損失分を打ち消し、可変容量ダイオードによる共振回路のＱ値低下を解消するようにしたものである。
【０００７】
【発明の実施の形態】
図１は本発明の一実施例を示すブロック図である。１は信号入力端子、２はコンデンサ、３はトランス、４はコンデンサ、５は水晶濾波器、６はコンデンサ、７はトランス、８はコンデンサ、９は信号出力端子、１０は可変容量ダイオード制御端子、１１は抵抗、１２は可変容量ダイオード、１３はコンデンサ、１４は可変容量ダイオード、１５は抵抗、１６は抵抗、１７はコイル、１８はトランジスタ、１９はトランジスタ、２０はコイル、２１は抵抗、２２は可変容量ダイオード制御端子である。トランス３、およびコンデンサ４による共振回路の共振周波数のばらつきを吸収するためにトランス３のインダクタンス値を調整する必要があるが、トランス３は固定部品とし、トランス３に直列に接続した可変容量ダイオード１２の容量値を可変容量ダイオード制御端子１０に印加した制御電圧で調整することによりトランス３および可変容量ダイオード１２による総合インダクタンス値を調整する。これにより、トランス３、可変容量ダイオード１２、コンデンサ４による並列共振回路の共振周波数を入力信号周波数に調整することが可能となる。生産工程においては水晶濾波器の通過特性をスペクトラムアナライザなどで測定し、その波形をリアルタイムでコンピュータにより取り込み、可変容量ダイオード１２の印加電圧をコンピュータが変化させながら、水晶濾波器の通過特性が仕様を満足するように、可変容量ダイオード１２の印加電圧を最適化する。最適化終了後に、印加電圧をＥＥＰＲＯＭ等に書き込み、セットの電源が投入されると書き込まれた電圧が毎回可変容量ダイオードに印加されることで、水晶濾波器５の入力インピーダンスが最適な状態に保持される。トランス７、コンデンサ６、可変容量ダイオード１４を用いた共振回路による水晶濾波器５の出力インピーダンス整合においても同様である。ここで、水晶濾波器のように入出力インピーダンスが比較的大きい回路にトランスを用いたインピーダンス整合回路を接続する場合、共振回路のＱを十分大きくする必要がある。しかし、可変容量ダイオード１２、１４を共振回路に接続することにより、可変容量ダイオード１２、１４の損失分により共振回路Ｑの低下の可能性が発生する。この可変容量ダイオード１２の損失分を補償するためにトランジスタ１８、１９を接続し、トランジスタ１８、１９の負性抵抗分により可変容量ダイオード１２、１４の損失分を補償することができ、その結果、共振回路のＱを必要な値まで確保することができる。
【０００８】
【発明の効果】
本発明の方式によれば、水晶濾波器の特性をコンピュータで取り込みながら可変容量ダイオードの容量分をコンピュータが制御し、水晶濾波器の入出力インピーダンスを自動で調整することが可能となる。
【図面の簡単な説明】
【図１】本発明の一実施例を示す回路図
【図２】従来の技術を用いた回路図
【符号の説明】
１：信号入力端子、２：コンデンサ、３：トランス、４：コンデンサ、５：水晶濾波器、６：コンデンサ、７：トランス、８：コンデンサ、９：信号出力端子、１０：可変容量ダイオード制御端子、１１：抵抗、１２：可変容量ダイオード、１３：コンデンサ、１４：可変容量ダイオード、１５：抵抗、１６：抵抗、１７：インダクタ、１８：トランジスタ、１９：トランジスタ、２０：インダクタ、２１：抵抗、２２：可変容量ダイオード制御端子。
【図１】
2004048326.tif 000003
【図２】
2004048326.tif 000004